(57)【要約】【課題】簡単な構成で、一端が扉体に連結されたチェーンを、駆動スプロケットの回転によって、チェーン収納部のチェーン受入れ部分に確実に送ることができる水門開閉装置を提供する。【解決手段】水門開閉装置１は、一端が扉体２に連結されたチェーン３と、チェーン３の中間部が巻き掛けられ駆動装置４によって回転駆動される駆動スプロケット５と、チェーン３の他端側を収納するチェーン収納部２５と、駆動スプロケット５とチェーン収納部２５との間に配置されたチェーンガイド６とを備えている。チェーン３は、その屈曲がチェーンガイド６によって規制されるため、駆動スプロケット５の回転駆動により、チェーンガイド６の形状に沿って送られてチェーン収納部２５に収納される。【選択図】図２
2019210679.tif 000002
【特許請求の範囲】
【請求項１】
一端が扉体に連結されたチェーンと、前記チェーンの中間部が巻き掛けられ、前記チェーンを送って前記扉体を昇降移動させる駆動スプロケットと、前記チェーンの他端側を収納するチェーン収納部とを備えた水門開閉装置であって、
前記駆動スプロケットと前記チェーン収納部との間に、前記チェーンの屈曲を規制するチェーンガイドを配置したことを特徴とする水門開閉装置。
【請求項２】
前記チェーンは、その長手方向に所定の間隔をおいて、前記チェーンの両側部にそれぞれ突出する掛止部を有しており、
前記チェーン収納部は、前記チェーンの両側部の掛止部をそれぞれ掛止する一対の掛止レールを有しており、
前記チェーンガイドは、前記チェーンの両側部をそれぞれ摺動可能に保持するガイドレールからなることを特徴とする請求項１に記載の水門開閉装置。
【請求項３】
前記チェーンガイドは、
前記駆動スプロケットとの間で受け渡しする前記チェーンを前記駆動スプロケットの下方に案内する下方ガイド部と、
前記チェーン収納部の前記チェーン受け入れ部との間で受け渡しする前記チェーンを前記チェーン受け入れ部の上方に案内する上方ガイド部と、
前記下方ガイド部と前記上方ガイド部との間で前記チェーンを案内する中間部と、
を備えていることを特徴とする請求項１または２のいずれかに記載の水門開閉装置。
【請求項４】
前記上方ガイド部は、前記チェーンが巻き掛けられ、前記チェーンが送られることによって従動回転するアイドルスプロケットを含むことを特徴とする請求項３に記載の水門開閉装置。
【請求項５】
前記下方ガイド部の曲げられた部分の外側にチェーン支持ローラを設けたことを特徴とする請求項３または４のいずれかに記載の水門開閉装置。
【発明の詳細な説明】
【技術分野】
【０００１】
本発明は、扉体を昇降移動させて水門を開閉する水門開閉装置に関するものである。
【背景技術】
【０００２】
水門開閉装置の従来技術として、例えば、特許文献１が知られている。特許文献１には、一端が扉体に連結されたチェーンと、前記チェーンの中間部が巻き掛けられ、前記チェーンを送って前記扉体を昇降移動させる駆動スプロケットと、前記チェーンの他端側を収納するチェーン収納体（以下、チェーン収納部という）とを備えており、さらに、前記チェーン収納部のチェーン受入れ部分の位置が前記駆動スプロケットの位置よりも高く配置された水門開閉装置が開示されている。そして、特許文献１には、前記チェーンの他端側が巻回されて、チェーンの他端側を垂下させるよう案内する案内スプロケットと、該案内スプロケットを回転させて、前記チェーンの他端側をチェーン収納部に向けて送り出すように付勢する付勢手段とが記載されている。この付勢手段として、前記駆動スプロケットからの回転駆動を前記案内スプロケットに伝達する回転伝達手段と、案内スプロケットを回転駆動する案内スプロケット駆動装置とが開示されている。
【先行技術文献】
【特許文献】
【０００３】
【特許文献１】特開２０１７−６１８５２号公報
【発明の概要】
【発明が解決しようとする課題】
【０００４】
上記特許文献１に開示されているように、案内スプロケットを回転させて、前記チェーンの他端側をチェーン収納部に向けて送り出すように付勢するよう構成された付勢手段を含む従来の水門開閉装置にあっては、付勢手段として、上記の回転伝達手段と案内スプロケット駆動装置のいずれの場合でも、複雑な構成となることから、部品数が多くなることに伴い広い設置スペースを必要とするとともに組立工数を削減することが困難であり、また、維持管理を簡素化することが困難であり、改善する余地があった。
【０００５】
本発明は、かかる点に鑑みてなされたものであり、簡単な構成で、一端が扉体に連結されたチェーンを、駆動スプロケットの回転によって、チェーン収納部のチェーン受入れ部分に確実に送ることができる水門開閉装置を提供することを目的とする。
【課題を解決するための手段】
【０００６】
上記課題を解決するため、請求項１に係る発明は、一端が扉体に連結されたチェーンと、前記チェーンの中間部が巻き掛けられ、前記チェーンを送って前記扉体を昇降移動させる駆動スプロケットと、前記チェーンの他端側を収納するチェーン収納部とを備えた水門開閉装置であって、前記駆動スプロケットと前記チェーン収納部との間に前記チェーンの屈曲を規制するチェーンガイドを配置したことを特徴とする。
請求項１の発明では、チェーンガイドのチェーン収納部側端部がチェーン収納部の上方に配置される。扉体を上昇させる場合、駆動スプロケットを開方向に回転駆動する。チェーンは、中間部が駆動スプロケットに巻き掛けられているため、他端側に送られる。このとき、駆動スプロケットとチェーン収納部との間に配置されたチェーンガイドによりチェーンの屈曲が規制されているため、駆動スプロケットとチェーン収納部の受入れ部分との高さ方向の位置関係が、略同じ場合、または、いずれか一方が高い場合であっても、駆動スプロケットからチェーン収納部のチェーン受入れ部分へと、駆動スプロケットの回転だけでチェーンを押出して確実に送ることができる。そして、チェーン収納部のチェーン受け入れ部の位置が駆動スプロケットの位置よりも高く配置されている場合では特に、チェーンガイド内で送られるチェーンの自重がチェーンガイドからチェーン収納部のチェーン受入れ部に送り出されたチェーンの自重により軽減される。そのため、駆動スプロケットの回転駆動力に大きな負荷がかかることがない。また、扉体を下降させる場合、扉体の自重によりチェーンが一端側に送られるように駆動スプロケットの回転を許容するか（受動的な回転）、または、必要に応じて駆動スプロケットを閉方向に回転駆動する（能動的な回転）。チェーンは、中間部が駆動スプロケットに巻き掛けられているため、一端側に送られる。このとき、チェーン収納部に収納されていたチェーンは、チェーン収納部のチェーン受入れ部分からチェーンガイドに引き出される。そして、チェーンは、チェーンガイドによって駆動スプロケットに向かって安定して確実に送られ、一端側に引き出されることとなる。
【０００７】
請求項２に係る発明は、請求項１に記載の発明において、前記チェーンは、その長手方向に所定の間隔をおいて、前記チェーンの両側部にそれぞれ突出する掛止部を有しており、前記チェーン収納部は、前記チェーンの両側部の掛止部をそれぞれ掛止する一対の掛止レールを有しており、前記チェーンガイドは、前記チェーンの両側部をそれぞれ摺動可能に保持するガイドレールからなることを特徴とする。
請求項２の発明では、チェーンの長手方向に所定の間隔をおいて設けられる掛止部は、チェーンの両側部にそれぞれ突出している。掛止レールの駆動スプロケット側の端部がチェーン収納部の受入れ部分を構成する。ガイドレールは、チェーンの掛止部に干渉することなく両側部それぞれ摺動可能に保持することができるよう構成されている。チェーンは、駆動スプロケットとチェーン収納部のチェーン受入れ部分との間で送られる際、チェーン自体の両側部をそれぞれガイドレールに摺動可能に保持されていることにより、チェーンの屈曲を規制した状態で送ることが具現化される。そして、掛止部がチェーンの長手方向に所定の間隔で複数設けられているため、チェーン収納部に送り出されたチェーンは、その掛止部がチェーン収納部の掛止レール上に掛止され、その結果、チェーンの長手方向に互いに隣接する掛止部の間がＵ字状に吊下げられた状態で収納される。そのため、チェーンを掛止部の間の長さのほぼ半分の長さとなる高さで収納することができる。また、最後にチェーン収納部の掛止レール上に掛止された掛止部から、チェーンガイドのガイドレールから送り出されて次にチェーン収納部の掛止レール上に掛止されることとなる掛止部までの間のチェーンの自重により、ガイドレール内で送られるチェーンの自重を軽減することができる。一方、チェーン収納部に収納されたチェーンを、ガイドレールを介して駆動スプロケットから送り出す場合には、掛止レール上掛止部が掛止レール上から離れて上昇し、ガイドレールに掛止されて、チェーンが巻き掛けられた駆動スプロケットから扉体を下降させる方向へと送り出される。
【０００８】
請求項３に係る発明は、請求項１または２のいずれかに記載の発明において、前記チェーンガイドは、前記駆動スプロケットとの間で受け渡しする前記チェーンを前記駆動スプロケットの下方に案内する下方ガイド部と、前記チェーン収納部の前記チェーン受け入れ部との間で受け渡しする前記チェーンを前記チェーン受け入れ部の上方に案内する上方ガイド部と、前記下方ガイド部と前記上方ガイド部との間で前記チェーンを案内する中間部と、を備えていることを特徴とする。
請求項３の発明では、扉体を上昇させる場合、駆動スプロケットから受けたチェーンを下方ガイド部が駆動スプロケットの下方に案内する。その後、中間部により下方から上方に送り、この送られたチェーンを上方ガイド部によりチェーン収納部のチェーン受け入れ部の上方から送り出してチェーン収納部に引き渡す。チェーンガイドの中間部によってチェーンを確実に下方ガイド部から上方ガイド部に確実に送ることができる。そのため、駆動スプロケットからチェーン収納部の受入れ部分へと確実にチェーンを確実に送ることができる。一方、扉体を下降させる場合、チェーン収納部の収納されていたチェーンは、上方ガイド部からチェーンガイドに受け入れられ、中間部を介して下方ガイド部を通り、巻き掛けられた駆動スプロケットの能動的または受動的な回転により、一方端側へと送られる。
【０００９】
請求項４に記載した発明は、請求項３に記載の発明において、前記上方ガイド部は、前記チェーンが巻き掛けられ、前記チェーンが送られることによって従動回転するアイドルスプロケットを含むことを特徴とする。
請求項４の発明では、アイドルスプロケットは、巻き掛けられたチェーンが送られることに伴って従動回転する。そのため、チェーンが上方ガイド部に衝合することなく、チェーン収納部のチェーン受入れ部分上に安定して確実に送り出し収納することができる。
【００１０】
請求項５に記載した発明は、請求項３または４のいずれかに記載の発明において、前記下方ガイド部の曲げられた部分の外側にチェーン支持ローラを設けたことを特徴とする。
請求項５の発明では、下方ガイド部の曲げられた部分の外側にチェーン支持ローラが設けられていることにより、駆動スプロケットを開方向に回転させてチェーンをチェーン収納部に向けて送るときに、チェーンが下方ガイド部の曲げられた部分を外側に向かって押圧するのをチェーン支持ローラが受ける。そのため、チェーンのガイドレールに対する摩擦抵抗が低減される。
【発明の効果】
【００１１】
本発明によれば、チェーンの屈曲を規制するチェーンガイドを、駆動スプロケットとチェーン収納部との間に配置するという簡単な構成で、一端が扉体に連結されたチェーンを、駆動スプロケットの回転によって、チェーン収納部のチェーン受入れ部分に確実に送ることが可能な水門開閉装置を提供することができる。
【図面の簡単な説明】
【００１２】
【図１】水門と本発明の水門開閉装置の第１の実施の形態を示す正面図である。
【図２】図１の水門開閉装置の要部拡大図である。
【図３】図２に示した水門開閉装置の変形例を示す概略図である。
【図４】チェーンと、このチェーンを保持するチェーンガイドの形状の一例（Ａ）、および別の例（Ｂ）を説明するために示した断面図である。
【図５】本発明の水門開閉装置の第２の実施の形態を示す要部拡大図である。
【図６】図５に示した水門開閉装置の変形例を示す概略図である。
【図７】本発明の水門開閉装置の第３の実施の形態を示す要部拡大図である。
【発明を実施するための形態】
【００１３】
最初に、本発明を適用する水門Ｇの実施の一形態を図１に基づいて説明する。
【００１４】
水門Ｇは、河川に通じる水路等の幅方向両側に一対の門柱１０、１０がそれぞれ立設されており（図１では幅方向の一方における一対の門柱１０、１０のみが示されている。）、各門柱１０の上部の間にわたって、操作台１１が跨設されている。扉体２は、両門柱１０、１０の間に、上流側および下流側に移動不能に保持された状態で、昇降可能に配置されている。操作台１１上には架台１２が配置され、該架台１２上に水門開閉装置が設けられる。
【００１５】
水門Ｇは、扉体２を上昇させることにより開き、扉体２を水路等の底（下降限）Ｇａまで下降させることにより閉じることとなる。そして、扉体２の底Ｇａに対する高さ（開放度）を調整することで、水門Ｇを通る水量を調整することができる。
【００１６】
次に、本発明による水門開閉装置１の実施の一形態を図１〜図３に基づいて説明する。
本実施の形態における水門開閉装置１は、一端が扉体２に連結されたチェーン３と、回転駆動力を付与する駆動装置４と、チェーン３の中間部が巻き掛けられ駆動装置４によって回転駆動される駆動スプロケット５と、チェーン３の他端側を収納するチェーン収納部２５と、駆動スプロケット５とチェーン収納部２５との間に配置されるチェーンガイド６とを備えている。
【００１７】
チェーン３は、扉体２の幅や高さなどを含む大きさや、扉体２の重量などに応じて、単列式または多列式のローラチェーンを採用することができる。本実施の形態では、図４に示したように、２本の単列式ローラチェーンの外プレートを互いに密着させて平行に配し、最外側の外プレートにわたって連結ピンを設けて、１本の２列式ローラチェーンを構成している。以下の説明では、２列式ローラチェーンの外側の、各単列式ローラチェーンの外プレートと内プレートを合わせて最外側プレート群３０と、この最外側プレート群３０のなかの外側プレートのみを最外側プレート３ａと称する。また、チェーン３は、必要に応じて、１本のチェーン３を扉体２の中央に連結することができ、また、２本のチェーン３、３を一対でそれぞれ扉体２の上部の両端近傍に連結することもできる。さらに、チェーン３の扉体２に対する連結は、チェーン３の一方の先端を扉体２の上部に直接固定する構成に限定されることはなく、図示は省略するが、扉体２の上部に動スプロケットを設け、この動スプロケットにチェーン３の一方の端部側の中間部を巻き掛けて、その先端部を例えば操作台１１の下面に固定することもできる。
【００１８】
チェーン３には、最外側プレート３ａにそれぞれ突出する掛止部２９が、チェーン３の長手方向に一定間隔をおいて複数設けられている。掛止部２９の構成は、特に限定されることはなく、たとえば、ローラチェーンの長手方向に一定間隔をおいた特定の連結ピンを延長することにより構成することができ、また、図示は省略するが、ローラチェーンの連結ピンとは別のピンをローラチェーンの長手方向に一定間隔をおいた特定の最外側プレート３ａに設けることもできる。さらに、掛止部２９は、上記延長した連結ピンまたは連結ピンとは別のピン等を軸として回動し、後述するガイドレール６０のフランジ６２に対して転動するローラを含むこともできる。
【００１９】
駆動装置４は、特に限定されることはなく、例えば電動モータを採用することができる。駆動装置４の出力軸（図示は省略する）と、駆動スプロケット５の回転軸との間には、必要に応じて減速機構（図示は省略する）を介装することができる。駆動スプロケット５の回転軸は、その下中心軸線を、水門Ｇを流れる水流と平行に、または水門Ｇの幅方向と平行に配置することができる。なお、上述したように複数本のチェーン３、３、・・・を用いる場合には、チェーン３に応じた数の駆動スプロケット５が設けられる。この場合、各駆動スプロケット５を共通の回転軸に取付けてもよく、また、個別の回転軸に取付けてもよい。
【００２０】
本実施の形態におけるチェーン収納部２５は、チェーン３の掛止部２９をそれぞれ掛止する一対の掛止レール２６、２６と、該各掛止レール２６、２６を上方に支持する支持本体２７とを備えている。支持本体２７は、架台１２上に配設される。
【００２１】
一対の掛止レール２６、２６は、チェーンが屈曲する方向にそれぞれ伸びており、チェーンの最外側プレート間の幅よりもわずかに広く、チェーン３の両側部の掛止部２９を掛止できる間隔で、互いに平行に配設されている。掛止レール２６の駆動スプロケット５側の端部（図における左方の端部）は、チェーン３の受入れ部分２６ａを構成する。
【００２２】
支持本体２７の駆動スプロケット５から離れた側の端部（図における右方の端部）２６ｂの高さは、駆動スプロケット５に近い側の端部２６ａの高さよりも低く設定されている。そのため、掛止レール２６、２６は、駆動スプロケット側の端部２６ａが、反対側の端部２６ｂよりも高くなるように傾斜している。また、駆動スプロケット５から離れた側の低い支持本体２７の上端には、チェーン３の他端の先端部が固定されている。この構成により、チェーン３の各掛止部２９は、掛止レール２６の受入れ部分となる駆動スプロケット５側の端部２６ａに掛止されると、チェーン３の自重によって掛止レール２６上を駆動スプロケット５側から反対側の端部２６ｂ（図３）に向かって順次移動することとなる。
【００２３】
さらに、掛止レール２６の、駆動スプロケット５と反対側の端部２６ｂ（図３）における架台１２の上面からの高さは、チェーン３の長手方向における掛止部２９、２９間の長さ（ピッチ）のほぼ半分の長さよりも高くなるよう設定されている。そのため、チェーン３の掛止部２９を掛止レール２６に掛止して吊り下げた状態で、チェーン３の掛止部２９，２９間の折り返した下端が架台１２に接触することがない。
なお、チェーン収納部２５は、係合部２９の間のチェーン３を吊り下げる本実施の形態に限定されることはなく、他の型式のものを採用することができる。
【００２４】
本実施の形態においては、駆動スプロケット５と掛止レール２６の駆動スプロケット５側の端部２６ａとの高さ方向の位置関係は、支持本体２７の上方に掛止レール２６がチェーン３を吊り下げ得る高さに支持されており、しかも、掛止レール２６の駆動スプロケット５側の端部２６ａが反対側の端部２６ｂ（図３）よりも高くなるよう傾斜しているため、掛止レール２６の駆動スプロケット５側の端部（すなわち、チェーン３の受入れ部分）２６ａが駆動スプロケット５の回転軸よりも高く位置している。
【００２５】
チェーンガイド６は、図４の（Ａ）に示した実施の形態の場合、互いに所定の間隔をおいて平行に配設された一対のガイドレール６０、６０により構成されている。各ガイドレール６０は、この実施の形態では全長にわたって、ウエブ６１と、このウエブ６１の幅方向両端にそれぞれ一体に成形されたフランジ６２、６２とを有する、断面がコの字状に成形されている。そして、図４の（Ａ）に示した実施の形態におけるガイドレール６０は、ウエブ６１の幅（すなわち、両フランジ６２、６２の間隔）が２列式のチェーン３の最外側プレート群３０の各端面を摺動可能に保持し、且つ、両フランジ６２、６２のそれぞれの幅が最外側プレート群３０の厚さと最外側プレート３ａから突出する掛止部２９の長さとを合わせた寸法よりもわずかに大きく設定されている。この図４の（Ａ）に示した実施の形態においては、一対のフランジ６２、６２の間で２列式のチェーン３の最外側プレート群３０を保持する。すなわち、チェーンガイド６により支持されるチェーン３の両側部は、最外側プレート群３０により構成されている。そのため、チェーン３は、最外側プレート群３０が一対のフランジ６２、６２の間で保持されていることにより、その屈曲が規制されてガイドレールの形状に沿って送られることとなる。なお、ガイドレール６０は、チェーン３の屈曲を制することができるよう摺動可能に保持することができるものであれば、断面形状がコの字状に限定されることはない。別のガイドレールの例として例えば図４の（Ｂ）に示すように、チェーン３の各連結ピンの両端３ｂ、３ｂをそれぞれ外側に突出させて、ガイドレール６０’、６０’がそれぞれ、最外側プレート３ａ、３ａが摺接するとともに、各連結ピンの外側に突出した部分３ｂ、３ｂを摺動可能に保持し且つチェーン３の長さ方向に所定の間隔で設けられた掛止部２９を通過させることが可能な、断面形状Ｌの字状の対のレール６０ａ’、６０ａ’によりそれぞれ構成することもできる。この場合、各連結ピンの外側に突出した部分３ｂ、３ｂが、チェーンガイド６により保持されるチェーン３の両側部を構成する。そして、チェーン３は、各連結ピンの外側に突出した部分３ｂ、３ｂが断面形状Ｌの字状の対のレール６０ａ’、６０ａ’により保持されるため、その屈曲が規制されてガイドレールの形状に沿って送られることとなる。
【００２６】
さらに、図２に示した実施の形態におけるガイドレール６０は、その長さ方向に下方ガイド部６０ａと上方ガイド部６０ｂと中間部６０ｃとが一体に連続しており、全体の形状として略Ｓ字状に成形されている。
【００２７】
下方ガイド部６０ａは、図２における上方のフランジ６２ａの端部が駆動スプロケット５の上方に位置しており、下方のフランジ６２ｂの端部が駆動スプロケット５の下方に位置している。そして、下方ガイド部６０ａは、駆動スプロケット５の位置よりも下方に一端延び、その後、チェーン３がスムーズに送り出される程度の曲率半径Ｒ１（ガイドレール６０の曲率半径については、外側と内側（上方と下方）に位置するフランジ６２ａ、６２ｂ間の曲率とする。以下の他の部分における曲率についても、同じとする。）で曲げられて、図２に示した実施の形態では水平方向に延びる部分６０ａ’を介して上方に曲率半径Ｒ２で曲げられて成形されている。
なお、下方ガイド部は、図２に示した実施の形態に限定されることはなく、図３に示したように、図２に示した実施の形態における水平方向に延びる部分６０ａ’を有することなく、駆動スプロケット５の位置よりも下方に一端延びてから、所定の曲率半径Ｒ３で上方に向くまで曲げられて、中間部６０ｃに連続する形状に成形することもできる。
中間部６０ｃは、下方ガイド部６０ａから連続して成形されたたもので、図１〜３に示した実施の形態では鉛直に延びている。
【００２８】
一方、上方ガイド部６０ｂは、中間部６０ｃから連続して、チェーン３がスムーズに送り出される程度の曲率半径Ｒ４で曲げられている。そして、上方ガイド部６０ｂの、図２、および図３における上方のフランジ６２ａと下方のフランジ６２ｂの端部は、扉体２の上昇時に押し出されたチェーン３の掛止部２９を掛止レール２６上に掛止させることができ、且つ、扉体２の下降時に掛止レール２６の掛止部２９が掛止されていたチェーンを引き込むことができる位置に設定されている。
【００２９】
次に、上述した実施の形態における水門開閉装置の作動を説明する。
【００３０】
扉体２を上昇させて、閉じていた状態から水門Ｇを開放する場合、または、水門Ｇの開放度を多くする場合、駆動装置４により駆動スプロケット５を開方向（図２、図３では右回り）に回転駆動する。駆動スプロケット５にチェーン３の中間部が巻き掛けられていため、チェーン３はチェーン収納部２５に向かって送られる。このとき、チェーン３は、その屈曲がガイドレール６０によって規制されているため、ガイドレール６０内で押し出され、ガイドレール６０の長手方向に沿って送られる。すなわち、駆動スプロケット５から下方ガイド部６０ａで一旦下方に向かい、その後上方に向きを変える。続いて、チェーン３は、ガイドレール６０の直方向に延びる中間部６０ｃを介して上方ガイド部６０ｂに押し出され、上方ガイド部６０ｂで所定の曲率で曲げられて下方に向かって送られ、ガイドレール６０のチェーン収納部２５側の端部から下方に向けて送り出される。そのため、駆動スプロケット５に巻き掛けられたチェーン３を、駆動スプロケット５の回転駆動だけで、駆動スプロケット５よりも上方に位置するチェーン収納部２５のチェーン受入れ部分２６ａに確実に送ることができる。
【００３１】
ガイドレール６０のチェーン収納部２５側の端部の下方にチェーン収納部２５の掛止レール２６の駆動スプロケット５側の端部が配置されているため、ガイドレール６０のチェーン収納部２５側の端部から送り出されたチェーン３は、その長手方向に所定の間隔で設けられた掛止部２９が掛止レール２６上に確実に受け入れられて、順次掛止されることとなる。そして、掛止レール２６の傾斜により、掛止レール２６上に受け入れられた掛止部２９は、駆動スプロケット５とは反値側の端部２６ｂ（図３）に向かって順次移動することとなる。チェーン３は、掛止レール２６上に掛止された掛止部２９、２９の間が一対の掛止レール２６、２６間に進入し、各掛止部２９でそれぞれ折り返されて、各掛止部２９、２９の間の長さの半分の高さでほぼＵ字状に吊り下げられる。
【００３２】
また、最後にチェーン収納部２５の掛止レール２６上に掛止された掛止部２９から、チェーンガイド６のガイドレール６０から送り出されて次にチェーン収納部２５の掛止レール２６上に掛止されることとなる掛止部２９までの間のチェーン３の自重により、ガイドレール６０の下方ガイド部６０ａからから上方ガイド部６０ｂに向かって中間ガイド部６０ｃを送られるチェーン３の自重が軽減される。そのため、本実施の形態においては、扉体２を上昇させるときに、駆動スプロケット５を回転駆動する駆動装置４に大きな負荷をかけることなく、低い位置にある駆動スプロケット５から高い位置にあるチェーン収納部２５のチェーン受入れ部分２６ａにチェーン３を少ない駆動力で送って収納することができる。
【００３３】
一方、扉体２を下降させて、開いていた状態から水門Ｇを閉鎖する場合、または、水門Ｇの開放度を少なくする場合、扉体２の自重によりチェーン３が一端側に送られるように駆動スプロケット５の回転を許容するか（すなわち、駆動スプロケット５を受動的に回転させる）、または、必要に応じて駆動スプロケット５を閉方向（図２、図３では左回り）に回転駆動して（すなわち、駆動スプロケット５を能動的に回転させる）、チェーン３を一端側に送る。このとき、チェーン収納部２５に収納されていたチェーン３は、上方に位置するチェーン収納部２５のチェーン受入れ部分２６ａからチェーンガイド６０に引き込まれ、チェーンガイド６０の上方ガイド部６０ｂ、中間部６０ｃ、下方ガイド部６０ａを介して、下方に位置する駆動スプロケット５に向かって安定して確実に送られ、一端側に引き出されることとなる。チェーン収納部２５のチェーン受入れ部分２６ａからチェーンガイド６に引き込まれるときのチェーン３の自重は、チェーンガイド６の上方ガイド部６０ｂと下方ガイド部６０ａの高低差によるチェーン３の自重で軽減される。そのため、駆動スプロケット５を閉方向に回転駆動する必要がある場合であっても、小さな駆動力で駆動スプロケット５を回転させることができる。
【００３４】
次に、本発明の水門開閉装置の第２の実施の形態を図４〜図５に基づいて説明する。この第２の実施の形態においては、上述した第１の実施の形態と同様または相当する構成について同じ符号を付してその説明を省略し、異なる構成のみを説明することとする。
【００３５】
上述した第１の実施の形態におけるチェーンガイド６は、下方ガイド部６０ａ、中間部６０ｃ、および上方ガイド部６０ｂにわたって全体に、ウエブ６１と図面上における上方および下方のフランジ６２ａ、６２ｂを有する断面コ字状のガイドレール６０により構成されていたのに対し、第２の実施の形態におけるチェーンガイド６は、上方ガイド部６０ｂが第１の実施の形態における下方のフランジ６２ｂを備えておらず、その代わりにアイドルスプロケット７を備えている。
【００３６】
アイドルスプロケット７は、回動軸（図示は省略する）に回動可能に支持され、チェーン３が巻き掛けられており、チェーン３がその一方端側または他方端側に送られることに伴って従動回転する。チェーン３の、アイドルスプロケット７から下方ガイド部６０ａまでの自重が、アイドルスプロケット７から掛止部２９が掛止レール２６に支持されるまでの自重により軽減されることは、上述した第１の実施の形態と同様である。アイドルスプロケット７に巻き掛けられたチェーン３の、下方ガイド部６０ａまでの自重と、掛止部２９がチェーン収納部２５の掛止レール２６に支持されるまでの自重とをアイドルスプロケット７が支持するので、第１の実施の形態における上方ガイド部６０ｂの下方のフランジ６２ｂに対するチェーン３の摩擦抵抗が大幅に少なくなり、また、アイドルスプロケット７の回動によってチェーン３がスムーズに送られるので、チェーン３が上方ガイド部６０ｂの上方のフランジ６２ａに当ることがない。そのため、第２の実施の形態では、上方ガイド部６０ｂの曲率半径Ｒ４を第１の実施の形態と比較して小さくしても、チェーン３をスムーズに送ることができる。したがって、この第２の実施の形態では、第１の実施の形態と比較して、さらに駆動スプロケットを回転させるため駆動力を軽減させることができる。
【００３７】
なお、上述した第１および第２の実施の形態では、チェーンガイド６を構成するガイドレール６０の中間部６０ｃを鉛直に配置した場合を示したが、いずれの実施の形態でも、必要に応じて、下方ガイド部６０ａと上方ガイド部６０ｂとの水平方向の相対的な位置を近づけ、または離すように、中間部６０ｃを傾斜させることができる。
【００３８】
また、上述した第１および第２の実施の形態において、チェーンガイド６を構成するガイドレール６０の、特に下方ガイド部６０ａおよび上方ガイド部６０ｂの内面には、チェーン３の摺動抵抗を軽減させるためにたとえばフッ素樹脂をコーティングしたシート材を貼るなどして固着することもできる。
【００３９】
さらに、上述した第１および第２の実施の形態において、チェーンガイド６を構成するガイドレール６０の下方ガイド部６０ａの曲率半径Ｒ１、Ｒ２、Ｒ３、および上方ガイド部６０ｂの曲率半径Ｒ４若しくはアイドルスプロケット７の径は、ガイドレール６０の形状に沿って屈曲を規制されつつ送られるチェーン３がガイドレール６０の内面に当る角度を緩やかにすることができる程度に設定することができる。そして、下方ガイド部６０ａの曲率半径Ｒ１、Ｒ２、Ｒ３は、同じでもよく、必要に応じて異ならせることもできる。
【００４０】
次に、本発明の水門開閉装置の第３の実施の形態を図７に基づいて説明する。この第３の実施の形態においては、上述した第１および第２の実施の形態と同様または相当する構成について同じ符号を付してその説明を省略し、異なる構成のみを説明することとする。
【００４１】
この実施の形態における水門開閉装置は、ガイドレール６０、６０の間であって、ガイドレール６０の下方ガイド部６０ａの曲率半径Ｒ１、Ｒ２で曲げられた部分の外側に、かかる曲げられた部分に沿って、チェーン支持ローラ６３が複数配設されている。そして、上述したようにチェーン３が２列式ローラチェーンにより構成されているため、各チェーン支持ローラ６３は、チェーン３の各列における連結ピンに外挿された円筒状ローラ３１、３１（図４を参照）にそれぞれ接するよう一対で構成されている。図３および図６に示したようにガイドレール６０の下方ガイド部６０ａが曲率半径Ｒ３で曲げられた場合には、かかる曲率半径Ｒ３で曲げられた部分の外側に複数のチェーン支持ローラ６３が配設される。チェーン支持ローラ６３を設ける数は、特に限定されることはなく、下方ガイド部６０ａの曲率半径の大きさ等に応じて設定することができる。なお、本実施の形態では、チェーンガイド６の上方ガイド部６ｂを、第１の形態（図１〜３を参照）と第２の実施の形態（図５、６を参照）のいずれの構成とすることができる。
【００４２】
上述したように、駆動装置４により駆動スプロケット５を開方向に回転駆動して、ガイドレール６０により屈曲が規制されたチェーン３をチェーン収納部２５に向けて送る場合、送られるチェーン３はガイドレール６０の下方ガイド部６０ａの曲率半径Ｒ１、Ｒ２で曲げられた部分を外側にむかって押圧する。そのため、チェーン３のガイドレール６０に対する摩擦抵抗が大きくなり、駆動スプロケット５の回転駆動力に負荷がかかり、また、チェーン３とガイドレール６０が摩耗することが考えられる。しかしながら、本実施の形態では、チェーン支持ローラ６３が、ガイドレール６０の下方ガイド部６０ａの曲率半径Ｒ１、Ｒ２で曲げられた部分において、チェーン３の外側にむかって押圧する力を受ける。したがって、チェーン３のガイドレール６０に対する摩擦抵抗を低減させることができる。
【００４３】
本発明では、極めて簡単な構成のガイドレール６０により、チェーン３をガイドレール６０の形状に沿って屈曲を規制した状態で送ることができるので、特にチェーン収納部のチェーン受け入れ部の位置が駆動スプロケットの位置よりも高く配置されている場合であっても、従来の技術で述べた回転伝達手段のような機構や、駆動装置４以外の案内スプロケットを回転駆動するための動力を必要とすることなく、下方に位置する駆動スプロケット５から上方に位置するチェーン収納部２５の受け入れ部２６ａへ送ることができる。
【００４４】
そして、チェーン３の、上方ガイド部６０ｂから下方ガイド部６０ａ側の自重が、上方ガイド部６０ｂから既に掛止レール２６上に掛止された掛止部２９までの自重により軽減されるため、駆動スプロケット５を回転駆動するために必要な駆動力を極めて低くすることができる。
【００４５】
なお、本発明は、上述した実施の形態に限定されることはなく、チェーン収納部のチェーン受け入れ部の位置が駆動スプロケットの位置と同じ高さに配置されている場合、および、チェーン収納部のチェーン受け入れ部の位置が駆動スプロケットの位置よりも低く配置されている場合であっても、一端が扉体に連結されたチェーンを、駆動スプロケットの回転によって、チェーン収納部のチェーン受入れ部分に確実に送ることができる。なお、いずれの場合でも、チェーンガイド６のチェーン収納部２５の受け入れ部２６ａ側端部は、受け入れ部２６ａの上方に配置される。
【符号の説明】
【００４６】
Ｇ：水門、  １：水門開閉装置、  ２：扉体、  ３：チェーン、  ４：駆動装置、  ５：駆動スプロケット、  ６：チェーンガイド、  ７：アイドルスプロケット、  ２５：チェーン収納部、  ２６：掛止レール、  ２９：掛止部、  ６０：ガイドレール、  ６０ａ：下方ガイド部、  ６０ｂ：上方ガイド部、  ６０ｃ：中間部、  ６３：チェーン支持ローラ
【図１】
2019210679.tif 000003
【図２】
2019210679.tif 000004
【図３】
2019210679.tif 000005
【図４】
2019210679.tif 000006
【図５】
2019210679.tif 000007
【図６】
2019210679.tif 000008
【図７】
2019210679.tif 000009